(57)【要約】  本発明は、互いに強固に連結可能な、少なくとも２つのモジュール（１)を備える種類の保管庫組立て品に関するものであり、前記モジュールのそれぞれには、少なくとも１つの保管空間へのアクセス手段と、閉鎖手段（３、６、８、１２)と、モジュールを互いに強固に連結する手段（１０)とが装備される。本発明による組立て品は、少なくとも１つのモジュールが、（ｉ）モジュールを互いに強固に連結する手段および、（ｉｉ）少なくとも１つのモジュールへのアクセスを閉鎖する閉鎖手段を固定する手段を備えることを特徴とする。
2008507413.tif 000002
【特許請求の範囲】
【請求項１】
強固に一体に連結可能な少なくとも２つのモジュール（１)を備える種類の組立て装置であり、各モジュールが、閉鎖手段（３、６、８、１２)を含む前記装置の少なくとも１つの保管空間へのアクセス手段と、モジュールを強固に一体に連結する手段（１０、１８、２１)とを提供する組立て装置であって、少なくとも１つのモジュールが、モジュールを互いに強固に連結するために使用される機構用であるだけでなく、少なくとも１つのモジュールへのアクセスを閉鎖する手段用でもある固定手段（３０、５２、５５)を含むことを特徴とする組立て装置。
【請求項２】
モジュールを強固に一体に連結するために使用される機構用の前記固定手段及び前記モジュールへのアクセスを閉鎖する手段が、１つの集中コマンド（３４)から対応可能であることを特徴とする請求項１に記載の組立て装置。
【請求項３】
前記集中コマンド（３４)は、前記モジュールの任意の１つからの固定制御装置（３４)であることを特徴とする請求項２に記載の組立て装置。
【請求項４】
前記固定システムのための前記集中コマンド（３４)が、前記モジュールの前面に置かれることを特徴とする請求項１〜３のいずれか一項に記載の組立て装置。
【請求項５】
前記集中コマンドが、前記モジュールの上部区画に置かれることを特徴とする請求項４に記載の組立て装置。
【請求項６】
それぞれのモジュールが、集中固定コマンドを受け取ると垂直運動するように据え付けられており、かつ２つの異なる位置をとることができる（その１つが固定位置である）、少なくとも１つの固定ボルト（３０)を含み、
該固定位置により、一方では、前記モジュールの少なくとも１部の内部保管空間への前記アクセス手段を閉鎖することが確実となり、他方では、前記モジュールを強固に一体に連結する前記手段の固定が確実となり、
他方の位置が、上記のいずれかが固定解除され得る固定解除位置であることを特徴とする請求項２〜５のいずれか一項に記載の組立て装置。
【請求項７】
固定ボルト３０のための結合機構（５０、５１、５２)を含むことを特徴とする請求項６に記載の組立て装置。
【請求項８】
前記固定ボルトの結合方法が、前記モジュールを強固に一体に連結する前記手段によって制御されることを特徴とする請求項７に記載の組立て装置。
【請求項９】
前記モジュールが、それぞれのモジュールを他のモジュールに対して確実に正しく位置決めするためのセンタリング手段（５、５')を含むことを特徴とする請求項１〜８のいずれか一項に記載の組立て装置。
【請求項１０】
前記センタリング手段が、それらの上側及び下側に、２つの相補形に形成されたさねはぎ（５、５')を有することを特徴とする請求項９に記載の組立て装置。
【請求項１１】
取付け台を含み、該取付け台の上部区画が、下部モジュール（２ｎ)の底部を受容できるような上部区画であり、このため、前記下部モジュールを該取付け台に固定することが可能となることを特徴とする請求項１〜１０のいずれか一項に記載の組立て装置。
【請求項１２】
カバーを含み、該カバーの下部区画が、上部モジュール（２ｎ)の上部区画を受容できるような下部区画であり、このため、前記上部モジュールを該カバーに固定することが可能となることを特徴とする請求項１〜１０のいずれか一項に記載の組立て装置。
【請求項１３】
前記固定手段及びモジュールを互いに強固に連結する前記手段が、電気機械式及び／又は電気式及び／又は電子式であることを特徴とする請求項１に記載の組立て装置。
【発明の詳細な説明】
【技術分野】
【０００１】
本発明は、時が経つにつれ数及び寸法が変化する可能性のある、異なる寸法の品目、特に工具を配置し、保管するためのモジュール式組立て品に関する。
【背景技術】
【０００２】
たとえその適用形態が、作業員又は保守要員が使用しないで置いておくためであれ又は使用するためであれ、寸法が大きく変わる物体をうまく配置して保管できる、多くの種類の保管箱又はケーシングが入手可能である。
【０００３】
これらケーシングのいくつかには、使用者が、異なる作業についてより適切な方法でモジュールを組み立てることができる場合には、特定の作業に適するようこれらを組み合わせて、したがって、厳密にこの作業に必要な品目を含むモジュールのみを運ぶことができる手段が設けられる。
【０００４】
このような種類の保管システムにおいて、構成部品には、通常、様々な種類の保管室が設けられており、その実際のレイアウト及び保管空間は、時とともに変化する使用者のニーズを満足するよう適応できていない「製作段階にある」と定義されている。たとえば、これらのモジュール式構成部品が機械分野で使用される場合、使用者は、様々な収納力の容器及び／又は引き出しを使用することにより、ナットやボルト、手工具や電気工具などの小さい品目をかなり上手に配置することができる。使用者が、特定の作業について、自分のモジュール式保管システム内に工具を保管しなければならないが、この工具の寸法がその使用者のシステム内の最大の容器にも適合しない場合、使用者は、別の保管システムを使用することを余儀なくされる。
【０００５】
しかし、たとえば、作業現場において、使用者が保管容器内の材料の安全性を確実にしたいと思った場合には、その組立て品を構成するモジュールのそれぞれを連続的に固定しておかなければならないだけでなく、これらのモジュールを強固に一体に連結しなければならない。
【発明の開示】
【発明が解決しようとする課題】
【０００６】
本発明の目的は、使用者が、様々なモジュールを強固に一体に連結できるだけでなく、それぞれのモジュール内に設けられた適切な固定コマンドを使用して、それぞれのモジュールへのアクセス手段のそれぞれを固定することもできる、モジュール式保管装置を提案することにより、上記の欠点を修正することである。
【０００７】
したがって、本発明の目的は、互いに強固に連結可能な少なくとも２つのモジュールを備え、かつこれらのモジュールのそれぞれが、モジュールを互いに強固に連結する手段と共に、閉鎖手段を含む少なくとも１つの保管室へのアクセス手段を含む、保管装置を提供することであり、それぞれのモジュールが、モジュールを強固に一体に連結するためおよび、これらへのアクセスを閉鎖するための両方の機構用である固定機構を含むことを特徴とする。
【０００８】
モジュールを強固に一体に連結する機構及びモジュールへのアクセスを閉鎖するためのシステムのための固定システムは、モジュール固定コマンドの任意の１つによって始動させることが可能である１つの集中コマンドからアクセスされ得る。
【０００９】
固定システムのためのこの集中コマンドは、それぞれのモジュールの前面に、特にその上部区画に置かれる。
【００１０】
それぞれのモジュールには、垂直運動のために取り付けられており、かつ２つの位置のうち１つをとるよう集中固定コマンドによって起動される、少なくとも１つの固定ボルトが含まれる。１つは、一方ではモジュールの少なくとも一部の内部へのアクセス手段の遮断が確実となり、他方ではモジュールを強固に一体に連結する手段の固定も確実となる、固定位置である。他方の位置は、これらの構成部品にアクセス可能となる固定解除位置である。これらの固定ボルトには、モジュールを強固に一体に連結するための機構によって起動可能な結合機構が設けられる。
【００１１】
モジュールは、センタリング手段を含むことができることが有利である。その目的は、それぞれのモジュールを他のモジュールに対して確実に正しく位置決めすることである。たとえば、これらのセンタリング手段は、それらの側面の上部区画及び下部区画に作られたさねはぎを有し、このさねはぎの一方は「凹形」であり、他方は「凸形」である。
【００１２】
以下、添付図面を参照しながら、本発明の様々な方法について記述するが、本発明は、これらの例に制限されるものではない。
【発明を実施するための最良の形態】
【００１３】
図１は、本発明を使用した、上下に重ねて置くことにより組み合わせられる４つのモジュール２ａ、２ｂ、２ｃ、及び２ｄを備えたモジュール式組立て装置の一変形形態を示している。これらのモジュールのそれぞれに閉鎖手段が設けられ、これにより、その内部保管空間へのアクセスを制御することができる。一例として、図１には、それぞれのモジュールが、他のモジュールとは異なるよう選択されている。したがって、最上部のモジュール２ａは、ヒンジ４の周囲で枢転するよう据え付けられた水平な上蓋３を含む。
【００１４】
モジュール２ｂの内部保管空間へのアクセスは、たとえばローラシャッタにおいて、一般に使用されている種類の、水平な一連の平板を有する前部カーテン６を使用して達成される。モジュール２ｃの内部保管空間へのアクセスは、２つのヒンジ９に取り付けられており、かつこれらの周囲で枢転する前部ドア８を介する。最後に、下部のモジュール２ｄは、モジュールの内部保管空間を４つの二次内部保管室に分割する、１組の、等しい大きさの水平な４つの引き出し１２を有する。
【００１５】
これらのモジュールのそれぞれが、その下に隣接するモジュールに対して正しく位置決めされ、かつその上に据え付けられることを確実にするために、モジュールの側面の上部区画及び下部区画には、それぞれ、機械加工された溝５−５’がある。これらの溝は相補形に設計されており、図１及び図１ａに概略的に示されている。
【００１６】
図２は、モジュール２ｄの変形形態をより詳細に示す図である。このモジュールは、上下に、３つの引き出しを有する。最下部の引き出し１２ａは、最大の高さを有する。このモジュールの２つの対向する側には、にぎり柄７が設けられ得る。
【００１７】
モジュールは、積み重ねられると、１つの固まりを形成するよう、強固に一体に連結される。本発明を使用した、これらを強固に一体に連結する手段は、非常に多種多様であり得る。以下、例示として、概略図を参照しながら、いくつかの特定のシステムについて記述する。
【００１８】
モジュールを強固に一体に連結するために、制御コマンドつまみ１０が使用される。図２及び図３に示されているように、これは、モジュールのそれぞれの底部に置かれる。これは、図には示されていない機構を使用して、横方向にローラ式に取り付けられた小さい板１３を備える。この小さい板１３は、モジュールの底部に平行であり、前部の内壁に対して角度αに傾斜した溝穴１４を含み、コマンドつまみ１０を使用して移動する。溝穴１４は、ローラ案内機構１９上にローラ式に取り付けられたレバー１８の端部に置かれた突起部１６に接合される。一連の６つの連結金具２０が、レバー１８の長さに沿って置かれる（この６つの金具の最初及び最後のみが図に示されている)。これらは、レバーの上で連接され、案内２２の間にローラ式に取り付けられておりかつ固定装置として働くシャフト２１によって延在する。このため、最初の５つの一連のシャフト２１の端部は、モジュール１内に設けられた穴２４と係合するよう設計される。それぞれのモジュールの上部区画はまた、下部モジュールの穴２４に対向して置かれた穴２４'を含む。
【００１９】
４つのモジュールが定位置にあり、かつ強固に一体に連結することを確実にする必要がある、このような状況においては、つまみ１０が左から右に移動する。この結果生じる効果は、連結金具２０に連動するシャフト２１が左から右に移動して、それらの端部が、穴２４を、次いで隣接する下部モジュールの穴２４'を横切ることである。このことにより、これらのモジュールが確実に強固に一体に連結される。組立て品内のすべてのモジュールが確実に強固に一体に連結されるよう、この手順が他のそれぞれのモジュールについても繰り返される。当然ながら、モジュールを互いから解放するためには、逆の操作が行われる。
【００２０】
この装置の引き出し１２及び１２ａについて述べると、モジュールの内部へのアクセス方法には、それらを強固に一体に連結し、かつモジュールに固定するのを確実にするための機構が含まれる。この結果、図に示されているように、それぞれのモジュールの後部区画のそれぞれの側に、案内（図示せず）上を動く、垂直方向に滑動する固定ボルト３０が設けられる。この固定ボルトは、その長さに沿って均等に分離された、矩形の溝つき穴３２を有する平らなシャフトを有する。固定ボルト３０を垂直方向に移動させるには、様々な手段が使用され得る。１つのこのような方法が、図４に示されており、モジュール面の上部区画内に作られており、かつボス３７上で終了する円筒形のシャフト３６を使用してモジュールの後方に延在する、固定制御装置３４を備える。このボスに、案内が設けられた２枚の横板４０内に作られた穴３９に係合する、２つの長手方向の指片３８が設けられる。固定制御装置３４を使用してシャフト３６が回ると、案内（図示せず)により、横板４０の外部先端部が水平方向に移動できるようになる。これらの移動のそれぞれは、コマンドシャフト３６の回転運動により固定制御装置３４の回転方向に従って固定ボルトが確実に上方又は下方移動するよう、固定ボルト３０のそれぞれに強固に連結された取付け板４４上の傾斜した溝穴４３に係合する突起部４２によって制限される。
【００２１】
引き出し１２の前部区画には、制御装置が設けられる。これは、例示として、横方向に滑動する２つの押しボタン４６を有する。これらのそれぞれが、ストラップ（図示せず）を使用して、引き出し１２の後部区画内に置かれたボルト４８に結合される（図６)。圧縮バネ５０が、２つのバネ付勢されたボルト４８の間に置かれており、ボルトを開放位置に設定する。したがって、制御つまみ上の２つの押しボタン４６が一体になるどのような動きも、２つのバネ付勢されたボルト４８のどれかをバネ５０の力に対抗させる効果を有する。さらに、それぞれのバネ付勢されたボルト４８の上部区画は、上方に開放された垂直の溝穴４９を有する。
【００２２】
通常の操作においては、バネ付勢されたボルト４８は、固定ボルト３０の溝穴３２に係合しており、使用者は、引き出し１２を開けるために、制御つまみの２つの押しボタン４６を一体にすることによりボルト４８を後退させなければならない。押しボタンが離されると、ボルト４８は開放位置に復帰する。このため、引き出しは、閉位置にある場合には、定位置に確実に保持される。
【００２３】
引き出しを固定せずに確実に定位置に保持する間、固定ボルト３０内に作られた細長い溝穴３２により、ボルト３０を底部の方に移動させることができることに留意されたい。固定ボルト３０が底部の方に移動し、溝穴３２の上部区画がバネ付勢されたボルト４８の刻み目４９に係合するまで、この状態は変わらない。次いで、ボルト４８が固定され、使用者は、つまみの押しボタン４６を操作して引き出し１２を開けることができなくなる。その理由は、ボルト４８は、滑動して後退することを固定ボルト３０によって阻止されるので、もはやボルト４８はそのように動くことができなくなるためである。
【００２４】
本発明による装置により、様々なモジュール内の各内部保管空間への全アクセス手段を固定することも確実に可能となる。これは、この特別な設置に含まれる固定機構の任意の１つが、固定装置３４の任意の１つを使用するためである。
【００２５】
このため、これは、関連する様々な固定ボルト間を確実に結合する手段を含む。これらの能力を確立する１つのこのような方法が、例示として、本明細書に示されている。
【００２６】
図５には概略的に、図７及び図８にはより詳細に示されているように、最後の２つの一連の連結金具２０及びシャフト２１が使用される。これらのシャフトのそれぞれの自由な先端部は、ここでは、それに垂直な垂直区画上で終了しており、該垂直区画は滑り子５０を形成し、滑り子５０の内部には滑動ブロック５１が取り付けられ、かつ２つの垂直な突起部５２が設けられる。このような状況において、使用者がつまみ１０を左から右に移動させてモジュールを確実に強固に一体に連結する場合、シャフト２１の先端部を移動させ固定ボルト３０の対応する受け穴３２内に固定を形成する効果を有することを理解されたい。さらに、また、モジュール固定ボルト内の下の穴５３へと２つの突起部５２を移動させる。これにより、コマンドが正しく実行されること、及び突起部が隣接する下部モジュールの固定ボルト３０の上部の穴５４にあることが確実となる。したがって、このモジュール及び下部モジュールの固定ボルト３０が一緒に結合される。１つのモジュールから次のモジュールへとこのように進めることにより、様々なモジュールからのすべての固定ボルト３０が結合される。
【００２７】
固定ボルトの結合が完了すると、固定装置３４の任意の１つを使用して、引き出し組立て品を固定することが可能となる。
【００２８】
本発明によれば、モジュールを強固に一体に連結するための機構を固定することも確実となる。このようにして、図８ａ及び図８ｂに示されているように、ストッパ５５が滑動ブロック５１の後ろに置かれており、したがって、引き出しの固定を確実にするために固定ボルト３０が下げられると、ストッパ５５により滑動ブロック５１の後方への移動が阻止されるので、つまみ１０を左の方に移動させてモジュールを分離することができなくなる。
【００２９】
勿論、本発明を使用して、上述の方法以外の方法を使用した固定ボルトの移動を行うことも可能である。図５に概略的に示されているように、ラック５６もまた、制御装置３４に強固に接合されたピニオン５７と合わせて使用され得る。これらのラックは、それぞれ、スリーブ５８に覆われておりかつ押しボタン５９によって終了する渦巻きバネを使用して、固定ボルト３０の方向に延在する。これにより、固定ボルト３０が、制御装置３４の回転方向に応じて移動することが確実となる。
【００３０】
同様に、図９に示されているように、引き出し１２の固定は、ピン６１の周囲で枢転するよう据え付けられた板を有する固定装置６０によって確実となり得る。このピンには、指片６２が設けられる。この指片は、固定された位置において、引き出し１２の溝穴６３を貫通し得る。固定ボルト３０の垂直方向の移動により、枢転運動が固定装置６０に作用する。このため、固定ボルト３０には、固定装置６０の突起部６５用の受けとして横方向の溝穴６４が設けられる。固定ボルトが垂直方向に移動すると、その移動が固定ボルトの上方に向けたものか又は下方に向けたものかに応じて、固定装置は、ある方向に又は他の方向に回転させられることに留意されたい。
【００３１】
本発明を実施するための変形形態においては、組立て装置に取付け台が設けられ、この上部区画で、これに固定できる、下部モジュールの底部を受容することが可能である。これを可能にするためには、取付け台の上部区画が、モジュールの上部区画と同一であると有利である。
【００３２】
図１０は、下部モジュール２ｎのみが示されている、ｎモジュールの装置を含む、本発明の変形形態を示している。取付け台７０に位置決めされ、固締されることが意図される。このようにして、取付け台７０の上部区画は、モジュールの上部区画の複製になる。
【００３３】
取付け面が建物であれ又は車両であれ、この取付け面に対する組立て装置の制御された安定が確実になるという点において、このような装置は興味深い。このようにして、取付け台７０には、取付け面７３に確実に固締され得る手段が設けられる。特に簡単な解決方法を提供することにより、これらの手段は、ネジ７２又は接着システム又は他の任意の好適な固締手段を含み得る。取付け台が取付け面に固締され、下部モジュール２ｎが定位置にあり、これに固定されると、固締手段へのアクセスができなくなり、組立て装置は移動不可能となり固定される。
【００３４】
勿論、本発明に従って、作業台の天井又は裏面などの水平な内部の裏面にそれ自体が固締されたカバーに、組立て装置を確実に固締することも同様に可能となる。この種の実施形態においては、カバーの下面は、モジュールの底部の形態を有する。このようにして、上部モジュールの上部区画が、カバーに装着され、これに固定され得る。これは、底部７０を有する先の例における情況である。
【００３５】
さらに、本発明に従って、組立て装置を固定し、かつ強固に一体に連結する手段は、電気機械式及び／又は電気式及び／又は電子式であり得る。
【図面の簡単な説明】
【００３６】
【図１】本発明に従って組立て品を形成するための、いくつかのモジュールの組立て品を示す正面図である。
【図１ａ】図１の一部を示す詳細図である。
【図２】組み立てられるモジュールの一例を示す斜視図である。
【図３】モジュールを強固に一体に連結するための機構の例を上から見た、一部分が切られた概略図である。
【図４】本発明に従って、モジュールを強固に一体に連結し、かつ固定するための機構の例を示す一部分が分解された組立図である。
【図５】いくつかのモジュール用の引き出しのための集中固定システムの例を示す部分概略図である。
【図６】後部から見た、引き出しを示す斜視図である。
【図７】モジュールを強固に一体に連結するための機構の固定を確実にするシステムの、図８ａの断面線ＶＩＩ−ＶＩＩに従った部分断面図である。
【図８ａ−８ｂ】図７の断面線ＶＩＩＩ−ＶＩＩＩに従った部分拡大断面図である。これらの図は、モジュールを強固に一体に連結するための機構の固定と２つの隣接するモジュールのための固定ボルトの結合との両方を確実にするシステムを示している。
【図９】モジュール内の引き出しのための固定システムの実施形態の変形形態を示す部分図である。
【図１０】取付け面７３に対する、モジュール式組立て品及び固締手段７０、７２を示す部分斜視図である。
【図１】
2008507413.tif 000003
【図１ａ】
2008507413.tif 000004
【図２】
2008507413.tif 000005
【図３】
2008507413.tif 000006
【図４】
2008507413.tif 000007
【図５】
2008507413.tif 000008
【図６】
2008507413.tif 000009
【図７】
2008507413.tif 000010
【図８ａ】
2008507413.tif 000011
【図８ｂ】
2008507413.tif 000012
【図９】
2008507413.tif 000013
【図１０】
2008507413.tif 000014
【国際調査報告】
2008507413.tif 000015
2008507413.tif 000016
2008507413.tif 000017
2008507413.tif 000018